(57)【特許請求の範囲】
【請求項１】
一片と他片で構成したＬ字形に折曲され、前記一片に先端が前記他片に向くように切り起こされた電線鎖錠片を有し、前記他片を電線接続面とした導電板と、
前記一片の前記電線鎖錠片の付け根となる支持端部の近傍の前記一片の側縁より、つなぎ部を介して延出し、かつ前記他片の延び方向に折曲されたランプ端子とを備え、
前記ランプ端子が一対の長辺と一対の短辺からなる矩形輪状をなし、そのコーナが前記長辺の方向の外向きに張り出して湾曲しており、前記短辺の一方が前記つなぎ部に繋がり、ランプピンを挟持する一対の接触片が対向配置となるように前記一対の長辺の内側より折曲形成されて弾性変形可能になっている導電端子。
【発明の詳細な説明】
【０００１】
【発明の属する技術分野】
この発明は、照明器具のランプピン接続端子と速結端子とを設けた導電端子に関するものである。
【０００２】
【従来の技術】
従来例１として、実開平５−１５３７８号がある。このソケットのボディに収納された導電金具は、一端側にランプピン保持部を、他端側に速結端子部をそれぞれ一体に形成している。ランプピン保持部は速結端子部の電線接続面（基片）の延出方向に位置し、略同一幅の帯状の導電板を折曲して形成される。
【０００３】
従来例２として、特開平９−２９３５７４号がある。この場合、ソケットボディに組み込まれた接触導電体は、プレス成型によりピン接触端部と鎖錠片部等を備えて形成されている。ピン接触端部は接触導電体の長手方向一端部に設けられ、鎖錠片部は導電体の長手方向他端部に折り曲げられている。鎖錠片部は、ソケットボディに設けた電線挿入穴に挿入される電線に弾性的に接触するが、ソケットボディの挟持面との間で鎖錠する構成である。また、ピン接触端部のランプピン挿入方向と鎖錠片部に速結する電線の挿入方向が一致している。
【０００４】
【発明が解決しようとする課題】
従来例１では、ランプピン接続端子部の幅と速結端子部の幅が略同一である。ＬＥＤコネクタを例にすると、負荷は小電流、低電圧であるため速結端子は幅が狭くしても良いが、ランプピン接続端子部は同様に狭くすることは困難であり、導電金具をボディに装着した状態での全体の厚さを薄くできない。ランプピンのピッチ、太さなどのばらつきを加味すると広いたわみ代が必要であり、接触力を確保するためには、ばね部分は広い幅と長さが必要であるためである。
【０００５】
従来例２では、ランプピン挿入方向と速結する電線の挿入方向が一致しているため、電線挿入穴の位置をランプ投影範囲より内側に近付けられない。これに伴い、電線挿入穴に位置する端子部（鎖錠片部）をピン接触端部に近接できないため形状が大きくなる。
【０００６】
したがって、この発明の目的は、速結端子の幅を狭くすることができ、小型化を図ることができる導電端子を提供することである。
【０００７】
【課題を解決するための手段】
上記課題を解決するためにこの発明の請求項１記載の導電端子は、一片と他片で構成したＬ字形に折曲され、前記一片に先端が前記他片に向くように切り起こされた電線鎖錠片を有し、前記他片を電線接続面とした導電板と、
前記一片の前記電線鎖錠片の付け根となる支持端部の近傍の前記一片の側縁より、つなぎ部を介して延出し、かつ前記他片の延び方向に折曲されたランプ端子とを備え、
前記ランプ端子が一対の長辺と一対の短辺からなる矩形輪状をなし、そのコーナが前記長辺の方向の外向きに張り出して湾曲しており、前記短辺の一方が前記つなぎ部に繋がり、ランプピンを挟持する一対の接触片が対向配置となるように前記一対の長辺の内側より折曲形成されて弾性変形可能になっているものである。
【０００８】
このように、電源線を接続する速結端子の側面に、ランプピンを接続するランプ端子を設けたので、ランプ端子と速結端子は分かれているが、速結端子の側面において両者をつなげることで一体となっている。このため、ランプ端子の幅と速結端子の長さが重なる配置となり、全体長さが占有する範囲を狭くすることができ、小型化を図ることができる。また、速結端子とランプ端子をつないだ補強効果により速結端子の幅を狭くできる。
【０００９】
またランプ端子と速結端子とをつなぐ位置を、速結端子の電線鎖錠片の支持端部近傍としたので、電線鎖錠片の支持端部近傍のつなぎ部分（電線を挿入すると曲げる力が多くかかる部分）の側面にランプ端子とのつなぎ部が配置され、電線鎖錠片の支持端部に加わる力はランプ端子に分担することになる。このため、速結端子の幅を狭くすることができる。また、つなぎ部が電線鎖錠片の支持端部を支えるので、電線鎖錠片のばね荷重（接触荷重）が上昇し、通電性能が向上する。
【００１０】
さらに、速結端子の電線接続面をランプ端子側に折り曲げたので、鎖錠片のたわみ方向および挿入した電線が、ランプ端子の長手方向の空間に納まる。このため、電線収納空間を狭くすることができる。
【００１１】
【発明の実施の形態】
この発明の実施の形態を図１ないし図５に基づいて説明する。図１はこの発明の実施の形態の導電端子の斜視図、図２はこの発明の実施の形態の導電端子を有する接続器の斜視図、図３はその分解斜視図、図４はこの発明の実施の形態の導電端子の説明図である。
【００１２】
図２および図３に示すように、導電端子１が装着される接続器２は、ボディ３とカバー４を備えている。
【００１３】
導電端子１は、図１に示すように、電源線を接続する速結端子５の側面に、ランプピンを接続するランプ端子６を設けている。速結端子５は、Ｌ形に折曲した導電板で、一片に電線鎖錠片７が形成され、他片が電線接続面８となる。電線鎖錠片７は、電源線が接触する先端部がコーナ側に位置するように支持端部７ａより切り起こしてある。
【００１４】
また、ランプ端子６と速結端子５とをつなぐ位置を、速結端子５の電線鎖錠片７の支持端部７ａ近傍としている。すなわち、ランプ端子６と速結端子５は分かれているが、速結端子５の側面に設けたつなぎ部９で一体となっており、一点鎖線Ａで示すようにつなぎ部９と電線鎖錠片７の支持端部７ａが略同一線上にある。ランプ端子６は、つなぎ部９より延出された部分を速結端子５の側面の片側に略直角に折曲形成され、装着状態でボディ３の長手方向と略同一方向にばね性を有した一対の接触片１０，１０を備えている。各接触片１０は弾性変形するように折曲形成され、ランプピンを挟持可能な間隔で対向配置される。
【００１５】
また、速結端子５の電線接続面８はランプ端子６側に折り曲げている。この場合、図４（ｂ）に示すように、ボディ３に設けた電線挿入孔１５より電源線１６が挿入されることで、電源線１６が電線鎖錠片７と電線接続面８との間で鎖錠されることで接続される。この際、電線鎖錠片７のたわみ方向および挿入した電源線１６が、ランプ端子６の長手方向の空間に納まる。また、図４（ａ）に示すように、ランプ端子６の幅ａと速結端子５の長さｂを重なる配置とすることで、全体長さｃが占有する範囲を狭くすることができる。
【００１６】
ボディ３は、図３に示すように上記構成の導電端子１が一組収納される。すなわち、一対の収納凹部１７，１７がボディ３の長手方向に並設してある。収納凹部１７は導電端子１を位置決めした状態で収納できる形状であり、電線挿入孔１５が収納凹部１７に開口するように形成されている。また、一対の収納凹部１７，１７の間に位置するボディ３の中央部にガイド凸部１８を設けている。カバー４は、ボディ３の開口部を覆うことができるように開閉自在に取り付けられるとともに、導電端子１を収納凹部１７に固定する。また、導電端子１のランプ端子６に対応する位置にランプピン挿入孔１９が設けてある。
【００１７】
また、図５に示すように、接続器２は照明器具本体２０に固定され、灯体２１に接続される。灯体２１は、ガイド受部２２を設けたＬＥＤモジュール等であり、ランプピン２３が突出形成されている。取り付け時には、灯体２１のガイド受部２２に接続器２のガイド凸部１８を挿通させながら、ランプピン２３をランプピン挿入孔１９からランプ端子６の接触片１０に差し込んで接続する。
【００１８】
以上のようにこの実施の形態によれば、速結端子５とランプ端子６をつないだ補強効果により速結端子５の幅を狭くできる。この場合、電線鎖錠片７の支持端部７ａ近傍のつなぎ部分７ｂ（電線を挿入すると曲げる力が多くかかる部分）の側面にランプ端子６とのつなぎ部９が配置され、電線鎖錠片７の支持端部７ａに加わる力はランプ端子６に分担することになる。すなわち、つなぎ部９に位置する電線鎖錠片７のつなぎ部分７ｂについて、同じ応力であればつなぎ部分７ｂの幅ｄを狭くすることができ、延いては速結端子５の幅を狭くすることができる。
【００１９】
また、つなぎ部９が電線鎖錠片７の支持端部７ａを支えるので、電線鎖錠片７のばね荷重（接触荷重）が上昇し、通電性能が向上する。
【００２０】
【発明の効果】
この発明の請求項１記載の導電端子によれば、電源線を接続する速結端子の側面に、ランプピンを接続するランプ端子を設けたので、ランプ端子と速結端子は分かれているが、速結端子の側面において両者をつなげることで一体となっている。このため、ランプ端子の幅と速結端子の長さが重なる配置となり、全体長さが占有する範囲を狭くすることができ、小型化を図ることができる。また、速結端子とランプ端子をつないだ補強効果により速結端子の幅を狭くできる。
【００２１】
また、ランプ端子と速結端子とをつなぐ位置を、速結端子の電線鎖錠片の支持端部近傍としたので、電線鎖錠片の支持端部近傍のつなぎ部分（電線を挿入すると曲げる力が多くかかる部分）の側面にランプ端子とのつなぎ部が配置され、電線鎖錠片の支持端部に加わる力はランプ端子に分担することになる。このため、速結端子の幅を狭くすることができる。また、つなぎ部が電線鎖錠片の支持端部を支えるので、電線鎖錠片のばね荷重（接触荷重）が上昇し、通電性能が向上する。
【００２２】
さらに、速結端子の電線接続面をランプ端子側に折り曲げたので、鎖錠片のたわみ方向および挿入した電線が、ランプ端子の長手方向の空間に納まる。このため、電線収納空間を狭くすることができる。
【図面の簡単な説明】
【図１】この発明の実施の形態の導電端子の斜視図である。
【図２】この発明の実施の形態の導電端子を有する接続器の斜視図である。
【図３】図２の分解斜視図である。
【図４】この発明の実施の形態の導電端子の説明図である。
【図５】接続器の取り付け状態の説明図である。
【符号の説明】
１  導電端子
５  速結端子
６  ランプ端子
７  電線鎖錠片
７ａ  支持端部
７ｂ  つなぎ部分
８  電線接続面
９  つなぎ部
【図１】
0004014880.tif 000002
【図２】
0004014880.tif 000003
【図３】
0004014880.tif 000004
【図４】
0004014880.tif 000005
【図５】
0004014880.tif 000006